(57)【特許請求の範囲】
【請求項１】
連続光を生成する光源と、
前記連続光を第１周波数及び前記第１周波数とは異なる第２周波数の正弦波で変調することにより、前記連続光との周波数差が前記第１周波数である第１信号及び第２信号と、前記連続光との周波数差が前記第２周波数である第３信号及び第４信号と、を含む第１光信号を生成する第１生成手段と、
前記第１信号を偏波分離し、第１偏波面の第５信号と、前記第１偏波面とは直交する第２偏波面の第６信号を生成する第２生成手段と、
前記第５信号を送信データで変調して第１変調信号を生成する第３生成手段と、
前記第６信号を送信データで変調して第２変調信号を生成する第４生成手段と、
前記第２信号から前記第４信号のいずれかの信号を偏波分離し、前記第１偏波面の第７信号を生成する第５生成手段と、
前記第２信号から前記第４信号のうち、前記第７信号とは異なる周波数の信号を偏波分離し、前記第２偏波面の第８信号を生成する第６生成手段と、
前記第１変調信号、前記第２変調信号、前記第７信号及び前記第８信号を偏波多重した第２光信号を生成する第７生成手段と、
を備えていることを特徴とする光送信装置。
【請求項２】
前記第１生成手段は、前記連続光を前記第１周波数及び前記第２周波数の正弦波で変調する変調手段と、
前記変調手段の出力に含まれる前記連続光の周波数成分を抑圧するフィルタ手段と、
を備えていることを特徴とする請求項１に記載の光送信装置。
【請求項３】
前記第２生成手段、前記第５生成手段及び前記第６生成手段は、同じ偏波分離器により偏波分離を行うことを特徴とする請求項１又は２に記載の光送信装置。
【請求項４】
連続光を生成する光源と、
前記連続光を偏波分離し、第１偏波面の第１信号と、前記第１偏波面とは直交する第２偏波面の第２信号を生成する第１生成手段と、
前記第１信号を第１周波数の正弦波で変調し、前記第１信号との周波数差が前記第１周波数である第３信号及び第４信号を含む第１光信号を生成する第２生成手段と、
前記第２信号を前記第１周波数とは異なる第２周波数の正弦波で変調し、前記第２信号との周波数差が前記第２周波数である第５信号及び第６信号を含む第２光信号を生成する第３生成手段と、
前記第１光信号の前記第３信号を送信データで変調し、変調された前記第３信号及び前記第４信号を含む第３光信号を生成する第４生成手段と、
前記第２光信号の前記第５信号を送信データで変調し、変調された前記第５信号及び前記第６信号を含む第４光信号を生成する第５生成手段と、
前記第３光信号及び前記第４光信号を偏波多重した第５光信号を生成する第６生成手段と、
を備えていることを特徴とする光送信装置。
【請求項５】
連続光を生成する光源と、
前記連続光を第１周波数の正弦波で変調することにより、前記連続光との周波数差が前記第１周波数である第１信号及び第２信号を含む第１光信号を生成する第１生成手段と、
前記第１信号を偏波分離し、第１偏波面の第３信号と、前記第１偏波面とは直交する第２偏波面の第４信号を生成する第２生成手段と、
前記第３信号を送信データで変調して第１変調信号を生成する第３生成手段と、
前記第４信号を送信データで変調して第２変調信号を生成する第４生成手段と、
前記第２信号を前記第１周波数とは異なる第２周波数の正弦波で変調することにより、前記第２信号との周波数差が前記第２周波数である第５信号及び第６信号を含む第２光信号を生成する第５生成手段と、
前記第５信号を偏波分離し、前記第１偏波面の第７信号を生成する第６生成手段と、
前記第６信号を偏波分離し、前記第２偏波面の第８信号を生成する第７生成手段と、
前記第１変調信号、前記第２変調信号、前記第７信号及び前記第８信号を偏波多重した第３光信号を生成する第８生成手段と、
を備えていることを特徴とする光送信装置。
【発明の詳細な説明】
【技術分野】
【０００１】
本開示は、レディオ・オーバ・ファイバ（ＲｏＦ：Ｒａｄｉｏ  ｏｖｅｒ  Ｆｉｂｅｒ）システムの光送信装置に関する。
【背景技術】
【０００２】
光伝送路と無線伝送路を含む伝送路においてＲｏＦ技術が用いられている。具体的には、ＲｏＦシステムにおいては、光伝送路に光変調信号を含む光信号を送信し、無線伝送路への変換点において、この光信号を光電変換して無線周波数帯の信号とし、この無線周波数帯の信号を無線により送信する。非特許文献１は、光伝送路において偏波多重（ＰＤＭ）した２つの光変調信号と、各偏波面それぞれの光トーン信号を送信し、これら、光変調信号と光トーン信号を含む光信号を光電変換することで、２つの異なる周波数の電気変調信号、つまり、周波数多重（ＦＤＭ）された２つの電気変調信号とし、この２つの電気変調信号を無線伝送路に送信する構成を開示している。
【先行技術文献】
【非特許文献】
【０００３】
【非特許文献１】Ｙ．Ｋａｗａｇｕｃｈｉ  ｅｔ  ａｌ．，"Ｃｏｎｃｅｐｔｕａｌ  Ｓｔｕｄｙ  ｏｎ  Ｓｅａｍｌｅｓｓ  Ｏｐｔｉｃａｌ  ａｎｄ  Ｗｉｒｅｌｅｓｓ  Ｔｒａｎｓｍｉｓｓｉｏｎ  ｕｓｉｎｇ  ＰＤＭ−ＦＤＭ  Ｃｏｎｖｅｒｓｉｏｎ，"Ｐｒｏｃ．，ＯＥＣＣ，ｐａｐｅｒ  ＴＨ１０Ａ−２，２０１４年７月．
【発明の概要】
【発明が解決しようとする課題】
【０００４】
非特許文献１の光送信装置は、偏波多重される光変調信号のための１つの光源と、異なる周波数の２つの光トーン信号を生成するための２つの光源の合計３つの光源を使用する。光電変換においては、同じ偏波面の光変調信号と光トーン信号のビート信号、つまり、同じ偏波面の光変調信号と光トーン信号の周波数差をその周波数とする電気変調信号が得られる。しかしながら、各光源の周波数変動は独立して生じるため、非特許文献１の構成では、光電変換して得られる電気変調信号の周波数も変動し、品質が劣化する。
【０００５】
本発明は、送信する偏波多重された光変調信号を光電変換して得る電気変調信号の周波数変動を抑えることができる光送信装置を提供するものである。
【課題を解決するための手段】
【０００６】
本発明の一側面によると、光送信装置は、連続光を生成する光源と、前記連続光を第１周波数及び前記第１周波数とは異なる第２周波数の正弦波で変調することにより、前記連続光との周波数差が前記第１周波数である第１信号及び第２信号と、前記連続光との周波数差が前記第２周波数である第３信号及び第４信号と、を含む第１光信号を生成する第１生成手段と、前記第１信号を偏波分離し、第１偏波面の第５信号と、前記第１偏波面とは直交する第２偏波面の第６信号を生成する第２生成手段と、前記第５信号を送信データで変調して第１変調信号を生成する第３生成手段と、前記第６信号を送信データで変調して第２変調信号を生成する第４生成手段と、前記第２信号から前記第４信号のいずれかの信号を偏波分離し、前記第１偏波面の第７信号を生成する第５生成手段と、前記第２信号から前記第４信号のうち、前記第７信号とは異なる周波数の信号を偏波分離し、前記第２偏波面の第８信号を生成する第６生成手段と、前記第１変調信号、前記第２変調信号、前記第７信号及び前記第８信号を偏波多重した第２光信号を生成する第７生成手段と、を備えていることを特徴とする。
【０００７】
本発明の一側面によると、光送信装置は、連続光を生成する光源と、前記連続光を偏波分離し、第１偏波面の第１信号と、前記第１偏波面とは直交する第２偏波面の第２信号を生成する第１生成手段と、前記第１信号を第１周波数の正弦波で変調し、前記第１信号との周波数差が前記第１周波数である第３信号及び第４信号を含む第１光信号を生成する第２生成手段と、前記第２信号を前記第１周波数とは異なる第２周波数の正弦波で変調し、前記第２信号との周波数差が前記第２周波数である第５信号及び第６信号を含む第２光信号を生成する第３生成手段と、前記第１光信号の前記第３信号を送信データで変調し、変調された前記第３信号及び前記第４信号を含む第３光信号を生成する第４生成手段と、前記第２光信号の前記第５信号を送信データで変調し、変調された前記第５信号及び前記第６信号を含む第４光信号を生成する第５生成手段と、前記第３光信号及び前記第４光信号を偏波多重した第５光信号を生成する第６生成手段と、を備えていることを特徴とする。
【０００８】
本発明の一側面によると、連続光を生成する光源と、前記連続光を第１周波数の正弦波で変調することにより、前記連続光との周波数差が前記第１周波数である第１信号及び第２信号を含む第１光信号を生成する第１生成手段と、前記第１信号を偏波分離し、第１偏波面の第３信号と、前記第１偏波面とは直交する第２偏波面の第４信号を生成する第２生成手段と、前記第３信号を送信データで変調して第１変調信号を生成する第３生成手段と、前記第４信号を送信データで変調して第２変調信号を生成する第４生成手段と、前記第２信号を前記第１周波数とは異なる第２周波数の正弦波で変調することにより、前記第２信号との周波数差が前記第２周波数である第５信号及び第６信号を含む第２光信号を生成する第５生成手段と、前記第５信号を偏波分離し、前記第１偏波面の第７信号を生成する第６生成手段と、前記第６信号を偏波分離し、前記第２偏波面の第８信号を生成する第７生成手段と、前記第１変調信号、前記第２変調信号、前記第７信号及び前記第８信号を偏波多重した第３光信号を生成する第８生成手段と、を備えていることを特徴とする。
【発明の効果】
【０００９】
光送信装置が送信する、偏波多重された光変調信号を光電変換して得る電気変調信号の周波数変動を抑えることができる。
【図面の簡単な説明】
【００１０】
【図１】一実施形態による光送信装置の構成図。
【図２】一実施形態による光送信装置内の機能ブロックが出力する光信号のスペクトラムを示す図。
【図３】一実施形態による光送信装置の構成図。
【図４】一実施形態による光送信装置内の機能ブロックが出力する光信号のスペクトラムを示す図。
【図５】一実施形態による光送信装置の構成図。
【図６】一実施形態による光送信装置内の機能ブロックが出力する光信号のスペクトラムを示す図。
【図７】一実施形態による光送信装置が出力する光信号のスペクトラムを示す図。
【発明を実施するための形態】
【００１１】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１２】
＜第１実施形態＞
図１は、本実施形態の光送信装置の構成図である。光源１００は所定周波数の連続光を生成し、変調部１０１は、周波数ｆ及び周波数ｆ＋Δｆの２つの正弦波で連続光を振幅変調する。図２（Ａ）は、変調部１０１が出力する光信号のスペクトラムを示している。信号１０は、光源１００が出力する連続光と同じ周波数、つまり、キャリア成分である。周波数ｆの正弦波で連続光を振幅変調することにより、上側帯波と下側帯波に対応する信号１１、１３が、キャリア成分１０と周波数差ｆで生成される。同様に、周波数ｆ＋Δｆの正弦波で連続光を振幅変調することにより、上側帯波と下側帯波に対応する信号１２、１４が、キャリア成分１０と周波数差ｆ＋Δｆで生成される。ファイバ・ブラッグ・グレーティング（ＦＢＧ）１０２は、変調部１０１が出力する光信号のキャリア成分１０を抑圧するフィルタである。図２（Ｂ）は、ＦＢＧ１０２が出力する光信号のスペクトラムを示している。
【００１３】
ＦＢＧ１０２の出力は、偏波制御部（ＰＣ）１０３にて、偏波面の調整が行われ、偏波分離器（ＰＢＳ）１０４で、第１偏波面の光信号と、第１偏波面に直交する第２偏波面の光信号に分離される。なお、ＰＣ１０３は、第１偏波面の光信号と第２偏波面の光信号の各成分の振幅が等しくなる様に、ＦＢＧ１０２が出力する光信号の偏波面を調整する。ＦＢＧ１０５は、図２（Ｂ）の信号１１及び１３を抑圧し、図２（Ｃ）に示すスペクトラムの光信号を出力する。一方、ＦＢＧ１０６は、図２（Ｂ）の信号１２及び１３を抑圧し、図２（Ｄ）に示すスペクトラムの光信号を出力する。なお、図２（Ｃ）の光信号は第１偏波面の光信号であり、図２（Ｄ）の光信号は第２偏波面の光信号である。つまり、図２（Ｃ）の光信号と図２（Ｄ）の光信号は、互いに直交する偏波の光信号である。ＦＢＧ１０５の出力は、図示しない分岐部で分岐され、それぞれ、フィルタ１０７、１０８に入力される。同様に、ＦＢＧ１０６の出力は、図示しない分岐部で分岐され、それぞれ、フィルタ１１１、１１２に入力される。
【００１４】
フィルタ１０７は、図２（Ｃ）の信号１２を抑圧し、変調部１０９は、フィルタ１０７からの信号１４を送信データで変調して光変調信号を生成する。一方、フィルタ１０８は、図２（Ｃ）の信号１４を抑圧し、減衰部１１０は、フィルタ１０８からの信号１２のレベルを、変調部１０９が出力する光変調信号のレベルに応じて調整する。変調部１０９が出力する光変調信号と、減衰部１１０が出力する信号１２は、図示しない合波部で合波され、偏波多重器（ＰＢＣ）１１５に入力される。フィルタ１１２は、図２（Ｄ）の信号１１を抑圧し、変調部１１４は、フィルタ１１２からの信号１４を送信データで変調して光変調信号を生成する。一方、フィルタ１１１は、図２（Ｄ）の信号１４を抑圧し、減衰部１１３は、フィルタ１１１からの信号１１のレベルを、変調部１１４が出力する光変調信号のレベルに応じて調整する。変調部１１４が出力する光変調信号と、減衰部１１３が出力する信号１１は、図示しない合波部で合波されＰＢＣ１１５に入力される。
【００１５】
ＰＢＣ１１５は、入力される光信号を偏波多重し、光送信装置の出力とする。図７（Ａ）に本実施形態の光送信装置が出力する光信号のスペクトラムを示す。光変調信号１８は、第１偏波面の信号であり、変調部１０９が生成したものである。よって、その中心周波数は、信号１４の周波数に等しい。また、減衰部１１０でレベルが調整された信号１２は、光トーン信号であり、その偏波面は、光変調信号１８と同じであり、光変調信号１８の中心周波数との周波数差は２ｆ＋２Δｆである。光変調信号１９は、第２偏波面の信号であり、変調部１１４が生成したものである。よって、その中心周波数は、信号１４の周波数に等しい。また、減衰部１１３でレベルが調整された信号１１は、光トーン信号であり、その偏波面は、光変調信号１９と同じであり、光変調信号１９の中心周波数との周波数差は２ｆ＋Δｆである。
【００１６】
したがって、図７（Ａ）に示す光信号を光電変換すると、第１偏波面の光変調信号１８及び光トーン信号１２のビート信号、つまり、その中心周波数が２ｆ＋２Δｆである電気変調信号と、第２偏波面の光変調信号１９及び光トーン信号１１のビート信号、つまり、その中心周波数が２ｆ＋Δｆである電気変調信号が得られる。
【００１７】
ビート信号は、光変調信号と光トーン信号の周波数差の信号であるが、本実施形態では、１つの光源１００のみを使用するため、光源１００が出力する連続光に周波数変動が生じても、図７（Ａ）に示す光変調信号１８、１９と、光トーン信号１１、１２に生じる周波数変動は同じであり、これら信号の差であるビート信号には周波数変動が生じない。よって、光電変換後の電気変調信号の品質劣化を防ぐことができる。
【００１８】
＜第２実施形態＞
図３は、本実施形態の光送信装置の構成図である。光源２００は所定周波数の連続光を生成し、ＰＣ２０１は連続光の偏波面を調整し、ＰＢＳ２０２は、連続光を第１偏波面の連続光と、第１偏波面に直交する第２偏波面の連続光に分離する。なお、ＰＣ２０１は、第１偏波面の連続光と第２偏波面の連続光の振幅が等しくなる様に、その偏波面を調整する。変調部２０３は、周波数ｆ＋Δｆの正弦波で連続光を振幅変調する。図４（Ａ）は、変調部２０３が出力する光信号のスペクトラムを示している。信号１０は、光源２００が出力する連続光と同じ周波数、つまり、キャリア成分である。周波数ｆ＋Δｆの正弦波で連続光を振幅変調することにより、上側帯波と下側帯波に対応する信号１２、１４が、キャリア成分１０と周波数差ｆ＋Δｆで生成される。一方、変調部２０４は、周波数ｆの正弦波で連続光を振幅変調する。図４（Ｂ）は、変調部２０４が出力する光信号のスペクトラムを示している。信号１０は、光源２００が出力する連続光と同じ周波数、つまり、キャリア成分である。周波数ｆの正弦波で連続光を振幅変調することにより、上側帯波と下側帯波に対応する信号１１、１３が、キャリア成分１０と周波数差ｆで生成される。なお、図４（Ａ）の光信号は第１偏波面の光信号であり、図４（Ｂ）の光信号は第２偏波面の光信号である。つまり、図４（Ａ）の光信号と図４（Ｂ）の光信号は、互いに直交する偏波の光信号である。
【００１９】
ＦＢＧ２０５及びＦＢＧ２０６は、それぞれ、図４（Ａ）の光信号と図４（Ｂ）の光信号のキャリア成分１０を抑圧する。ＦＢＧ２０５の出力は、図示しない分岐部で分岐され、それぞれ、フィルタ２０７、２０８に入力される。同様に、ＦＢＧ２０６の出力は、図示しない分岐部で分岐され、それぞれ、フィルタ２１１、２１２に入力される。
【００２０】
フィルタ２０７は、図４（Ａ）の信号１２を抑圧し、変調部２０９は、フィルタ２０７からの信号１４を送信データで変調して光変調信号を生成する。一方、フィルタ２０８は、図４（Ａ）の信号１４を抑圧し、減衰部２１０は、フィルタ２０８からの信号１２のレベルを、変調部２０９が出力する光変調信号のレベルに応じて調整する。変調部２０９が出力する光変調信号と、減衰部２１０が出力する信号１２は、図示しない合波部で合波され、ＰＢＣ２１５に入力される。フィルタ２１２は、図４（Ｂ）の信号１１を抑圧し、変調部２１４は、フィルタ２１２からの信号１３を送信データで変調して光変調信号を生成する。一方、フィルタ２１１は、図４（Ｂ）の信号１３を抑圧し、減衰部２１３は、フィルタ２１１からの信号１１のレベルを、変調部２１４が出力する光変調信号のレベルに応じて調整する。変調部２１４が出力する光変調信号と、減衰部２１３が出力する信号１１は、図示しない合波部で合波され、ＰＢＣ２１５に入力される。
【００２１】
ＰＢＣ２１５は、入力される光信号を偏波多重し、光送信装置の出力とする。図７（Ｂ）に本実施形態の光送信装置が出力する光信号のスペクトラムを示す。光変調信号１８は、第１偏波面の信号であり、変調部２０９が生成したものである。よって、その中心周波数は、信号１４の周波数に等しい。また、減衰部２１０でレベルが調整された信号１２は、光トーン信号であり、その偏波面は、光変調信号１８と同じであり、光変調信号１８の中心周波数との周波数差は２ｆ＋２Δｆである。光変調信号１９は、第２偏波面の信号であり、変調部２１４が生成したものである。よって、その中心周波数は、信号１３の周波数に等しい。また、減衰部２１３でレベルが調整された信号１１は、光トーン信号であり、その偏波面は、光変調信号１９と同じであり、光変調信号１９の中心周波数との周波数差は２ｆである。
【００２２】
したがって、図７（Ｂ）に示す光信号を光電変換すると、第１偏波面の光変調信号１８及び光トーン信号１２のビート信号、つまり、その中心周波数が２ｆ＋２Δｆである電気変調信号と、第２偏波面の光変調信号１９及び光トーン信号１１のビート信号、つまり、その中心周波数が２ｆである電気変調信号が得られる。
【００２３】
ビート信号は、光変調信号と光トーン信号の周波数差の信号であるが、本実施形態では、１つの光源２００のみを使用するため、光源２００が出力する連続光に周波数変動が生じても、図７（Ｂ）に示す光変調信号１８、１９と、光トーン信号１１、１２に生じる周波数変動は同じであり、ビート信号には周波数変動が生じない。よって、光電変換後の電気変調信号の品質劣化を防ぐことができる。
【００２４】
＜第３実施形態＞
図５は、本実施形態の光送信装置の構成図である。光源３００は所定周波数の連続光を生成し、変調部３０１は、周波数ｆの正弦波で連続光を振幅変調する。図６（Ａ）は、変調部３０１が出力する光信号のスペクトラムを示している。信号１０は、光源３００が出力する連続光と同じ周波数、つまり、キャリア成分である。周波数ｆの正弦波で連続光を振幅変調することにより、上側帯波と下側帯波に対応する信号１１、１３が、キャリア成分１０と周波数差ｆで生成される。ＦＢＧ３０２は、変調部３０１が出力する光信号のキャリア成分１０を抑圧するフィルタである。ＦＢＧ３０２の出力は、図示しない分岐部で分岐され、それぞれ、フィルタ３０３、３０９に入力される。
【００２５】
フィルタ３０３は、ＦＢＧ３０２が出力する信号１１を抑圧し、図６（Ｂ）に示す光信号を出力する。ＰＣ３０４はフィルタ３０３が出力する信号１３の偏波面を調整し、ＰＢＳ３０５は、光信号１３を第１偏波面の信号１３と、第１偏波面に直交する第２偏波面の信号１３に分離する。なお、ＰＣ３０４は、第１偏波面の信号１３と第２偏波面の信号１３の振幅が等しくなる様に、その偏波面を調整する。変調部３０６、３０７は、それぞれ、信号１３を送信データで変調して光変調信号を生成し、ＰＢＣ３０８は、変調部３０６、３０７が出力する光変調信号を偏波多重する。
【００２６】
一方、フィルタ３０９は、ＦＢＧ３０２が出力する信号１３を抑圧し、変調部３１０は、信号１１を周波数Δｆの正弦波で振幅変調する。図６（Ｃ）は、フィルタ３０９が出力する光信号のスペクトラムを示している。周波数Δｆの正弦波で信号１１を振幅変調することにより、上側帯波と下側帯波に対応する信号１２、１５が、信号１１と周波数差Δｆで生成される。ＦＢＧ３１１は、変調部３１０の出力信号の内の信号１１を抑圧し、ＰＣ３１２はＦＢＧ３１１が出力する光信号の偏波面を調整し、ＰＢＳ３１３は、ＰＣ３１２が出力する光信号を第１偏波面の光信号と、第１偏波面に直交する第２偏波面の光信号に分離する。なお、ＰＣ３１２は、第１偏波面の信号１２、１５と第２偏波面の信号１２、１５の振幅が等しくなる様に、その偏波面を調整する。ＦＢＧ３１４は、信号１５を抑圧し、ＦＢＧ３１５は、信号１２を抑圧し、ＰＢＣ３１６は、ＦＢＧ３１４が出力する第１偏波面の信号１２と、ＦＢＧ３１５が出力する第２偏波面の信号１５を偏波多重する。減衰部３１７は、ＰＢＣ３１６が出力する偏波多重された信号１２と信号１５のレベルを、ＰＢＣ３０８が出力する偏波多重された光変調信号のレベルに応じて調整する。減衰部３１７の出力と、ＰＢＣ３０８の出力は、図示しない合波部で合波されて、光送信装置の光送信号として出力される。
【００２７】
図７（Ｃ）に本実施形態の光送信装置が出力する光信号のスペクトラムを示す。光変調信号２０は、第１偏波面の信号であり、変調部３０６が生成したものである。よって、その中心周波数は、信号１３の周波数に等しい。また、光変調信号２１は、第２偏波面の信号であり、変調部３０７が生成したものである。よって、その中心周波数は、信号１３の周波数に等しい。また、減衰部３１７でレベルが調整された信号１２は、光トーン信号であり、その偏波面は、光変調信号２０と同じであり、光変調信号２０の中心周波数との周波数差は２ｆ＋Δｆである。また、減衰部３１７でレベルが調整された信号１５は、光トーン信号であり、その偏波面は、光変調信号２１と同じであり、光変調信号２１の中心周波数との周波数差は２ｆ−Δｆである。
【００２８】
したがって、図７（Ｃ）に示す光信号を光電変換すると、第１偏波面の光変調信号２０及び光トーン信号１２のビート信号、つまり、その中心周波数が２ｆ＋Δｆである電気変調信号と、第２偏波面の光変調信号２１及び光トーン信号１５のビート信号、つまり、その中心周波数が２ｆ−Δｆである電気変調信号が得られる。
【００２９】
ビート信号は、光変調信号と光トーン信号の周波数差の信号であるが、本実施形態では、１つの光源３００のみを使用するため、光源３００が出力する連続光に周波数変動が生じても、図７（Ｃ）に示す光変調信号２０、２１と、光トーン信号１２、１５に生じる周波数変動は同じであり、ビート信号には周波数変動が生じない。よって、光電変換後の電気変調信号の品質劣化を防ぐことができる。
【図１】
0006403521.tif 000002
【図２】
0006403521.tif 000003
【図３】
0006403521.tif 000004
【図４】
0006403521.tif 000005
【図５】
0006403521.tif 000006
【図６】
0006403521.tif 000007
【図７】
0006403521.tif 000008